(57)【要約】【課題】取紙機構の提供。【解決手段】スキャナー、コピー機、ファックスマシーンなどの事務装置に用い、サポートフレーム、紙ガード装置、紙センサー、底台を含む。該紙センサーは該底台上に固定し、該紙ガード装置は紙ガード部品を含む。該紙ガード部品は該サポートフレーム上の連接部に可動接続し、該連接部は紙の取紙機構への進入を遮る或いは許す紙ガードアームを下方へと延伸形成する。該紙ガードアーム下端は該紙センサーと対応する。本考案の取紙機構は、該紙ガードアームと該紙センサーの対応によるだけで、紙の有無を探知可能であるため、構造が簡単で、組立ては容易で、製造コストを低く抑えることができる。【選択図】図６
0003132341.tif 000002
【実用新案登録請求の範囲】
【請求項１】
サポートフレーム、紙ガード機構、紙センサー、底台を含み、
該紙センサーは該底台上に固定し、該紙ガード機構は紙ガード部品を含み、該紙ガード部品は該サポートフレーム上に可動接続する連接部を具え、該連接部は紙の取紙機構への進入を遮る或いは許す紙ガードアームを下方へと延伸形成し、該紙ガードアーム下端は該紙センサーと対応することを特徴とする取紙機構。
【請求項２】
請求項１記載の取紙機構において、前記紙ガードアーム下端は扁平状であることを特徴とする取紙機構。
【請求項３】
請求項１記載の取紙機構において、前記サポートフレーム内側には固持部を設置し、該紙ガード部品の連接部は定位軸を具え、該定位軸は該サポートフレームの固持部上に可動接続することを特徴とする取紙機構。
【請求項４】
請求項３記載の取紙機構において、前記固持部上には固持孔を開設し、該定位軸両端は該固持孔中に可動接続することを特徴とする取紙機構。
【請求項５】
請求項３記載の取紙機構において、前記紙ガード装置は接触ブロックを含み、該接触ブロックは該ローラーフレームの側壁上に突出設置し、該紙ガードアームの上端は遮断部を形成し、下端には欠口を開設し、該接触ブロックは該紙ガードアームの遮断部において押さえられ、或いは該紙ガードアームの欠口より通過することを特徴とする取紙機構。
【請求項６】
請求項１記載の取紙機構において、前記サポートフレーム上には一対の相互に平行な板状を呈する長方形板を設置し、該２枚の長方形板の間には収容空間を形成し、該ローラーフレームは該収容空間内に設置することを特徴とする取紙機構。
【考案の詳細な説明】
【技術分野】
【０００１】
本考案は一種の取紙機構に関する。特に一種のスキャナー、コピー機、ファックスマシーンなどの事務装置に用いる取紙機構に係る。
【背景技術】
【０００２】
現在の事務処理の日常の作業では、スキャナー、コピー機、ファックスマシーンなどの各種画像処理装置は欠くべからざる存在である。該事務装置はすべて取紙機構を具え、紙を取紙ボックス中から取り出し事務装置中に送り込み処理を行っている。
【０００３】
公知の取紙機構は取紙ボックス中に紙があるかどうかを感知する感知装置を具え、該感知装置はセンサー、遮断器を含む。
該センサーは該取紙機構の底台上に設置し、該センサーはおよそU型を呈し、光信号を発射可能な発射アームと光信号を受信可能な受信アームを具える。
該遮断器は該底台上に可動接続し、接触アーム及び遮断アームを具える。該接触アームは該底台の上表面に伸出し、該遮断アームは該底台内に設置する。
該取紙ボックス中に紙が無くなると、該遮断アームは該センサーに位置する発射アームと受信アームの間に位置し、該センサーの発射アームが発射する光信号は該遮断アームにより遮断され、該受信アームによりされない。こうして該取紙機構に伝達される信号は「無紙信号」となる。この時、取紙機構は印刷信号を探知しても、取紙ローラー組は取紙動作を行わない。
取紙ボックスに紙がある時には、該接触アームは紙に押され傾斜し、こうして該遮断アームを連動し傾斜を生じ、該センサーの発射アームと受信アームから離れる。これにより該発射アームが発射する光信号は該受信アームにより受信され、こうして該取紙機構に伝送される信号は「有紙信号」となる。これにより該取紙機構は印刷信号を探知すると、取紙ローラーは取紙動作を行う。
【０００４】
上記公知の紙感知装置の遮断器とセンサーは共に底台上に設置するため、底台は相互に対応する部品を設置し該遮断器を可動接続しなければならない。これにより取紙機構全体の部品は多くなり、機構は複雑となり、組立ては不便になってしまう。
【考案の開示】
【考案が解決しようとする課題】
【０００５】
本考案の主要な目的は取紙機構を提供し、サポートフレーム、紙ガード機構、紙センサー、底台を含み、該紙センサーは該底台上に固定し、該紙ガード機構は紙ガード部品を含み、該紙ガード部品は該サポートフレーム上に可動接続する連接部を具え、該連接部は紙の取紙機構への進入を遮る或いは許す紙ガードアームを下方へと延伸形成し、該紙ガードアーム下端は該紙センサーと対応する。
【０００６】
該取紙機構の取紙時には、紙があれば、紙は該紙ガードアームの下端を押し該紙センサーから離れさせ、こうして該紙センサーは有紙信号を生じ、紙がなければ、該紙ガードアームの下端は該紙センサーに位置し、或いは該紙センサー位置に移動し、こうして該紙センサーは無紙信号を生じ、それは取紙機構は該紙ガードアームと該紙センサーの対応によるだけで、紙の有無を探知可能であるため、構造が簡単で、組立ては容易で、製造コストを低く抑えることができる。
【課題を解決するための手段】
【０００７】
請求項１の考案は、サポートフレーム、紙ガード機構、紙センサー、底台を含み、
該紙センサーは該底台上に固定し、該紙ガード機構は紙ガード部品を含み、該紙ガード部品は該サポートフレーム上に可動接続する連接部を具え、該連接部は紙の取紙機構への進入を遮る或いは許す紙ガードアームを下方へと延伸形成し、該紙ガードアーム下端は該紙センサーと対応することを特徴とする取紙機構としている。
請求項２の考案は、請求項１記載の取紙機構において、前記紙ガードアーム下端は扁平状であることを特徴とする取紙機構としている。
請求項３の考案は、請求項１記載の取紙機構において、前記サポートフレーム内側には固持部を設置し、該紙ガード部品の連接部は定位軸を具え、該定位軸は該サポートフレームの固持部上に可動接続することを特徴とする取紙機構としている。
請求項４の考案は、請求項３記載の取紙機構において、前記固持部上には固持孔を開設し、該定位軸両端は該固持孔中に可動接続することを特徴とする取紙機構としている。
請求項５の考案は、請求項３記載の取紙機構において、前記紙ガード装置は接触ブロックを含み、該接触ブロックは該ローラーフレームの側壁上に突出設置し、該紙ガードアームの上端は遮断部を形成し、下端には欠口を開設し、該接触ブロックは該紙ガードアームの遮断部において押さえられ、或いは該紙ガードアームの欠口より通過することを特徴とする取紙機構としている。
請求項６の考案は、請求項１記載の取紙機構において、前記サポートフレーム上には一対の相互に平行な板状を呈する長方形板を設置し、該２枚の長方形板の間には収容空間を形成し、該ローラーフレームは該収容空間内に設置することを特徴とする取紙機構としている。
【考案の効果】
【０００８】
本考案取紙機構は紙ガードアームの下端が発射アームと受信アーム間に伸入し、或いは発射アームと受信アームから離れることにより、発射アームが発射する光信号は紙ガードアームの下端により遮断され、或いは受信アームにより受信され、こうして取紙機構は紙の有無を感知することができる。よって公知技術と比較し、本考案取紙機構は別に遮断器を設置する必要がなく、紙の有無を感知する機能を達成可能で、こうして構造が簡単で、組立ては容易で、製造コストを低く抑えることができる。
【考案を実施するための最良の形態】
【０００９】
図１に示すように、本考案取紙機構１はサポートフレーム１０、取紙ローラー２０、分紙ローラー３０、ローラーフレーム４０、底台５０、紙ガード装置６０、紙センサー７０を含む。
次に図１、２に示すように、該サポートフレーム１０と該底台５０は一定の距離を隔て設置し、該サポートフレーム１０と該底台５０の間には紙伝送通路５２を形成する（図６参照）。該サポートフレーム１０内側には一対の相互に平行な板状を呈する長方形板１５を突出設置し、該２枚の長方形板１５間には収容空間１４を形成する。該長方形板１５上には固持部１１を固定し、該固持部１１は２枚の固持板１１２を具える。該各固持板１１２上には固持孔１１１を開設し、該２枚の固持板１１２間には長方形の位置限定ブロック１１３を固定する。該固持部１１の下方で、該長方形板１５上には一対の可動接続部１３を相対し突出設置する。
【００１０】
図１、３に示すように、該ローラーフレーム４０は第一側壁４１、第二側壁４２、主動軸４３、従動軸４４を具える。
該第一側壁４１上には主動軸孔と従動軸孔を開設し、該第二側壁４２は該第一側壁の主動軸孔に対応し、およそ環状を呈する位置限定部４２５を内部へ向かい突出設置し、対応接続筒４２６を外部へ向かい突出設置する。該第二側壁４２は従動軸孔に対応し、嵌接部（図示なし）を内側に向かい突出設置する。該主動軸４３の一端は該主動軸孔内に可動接続し、該従動軸４４の一端は該従動軸孔内に可動接続する。
該分紙ローラー３０は該主動軸４３上に固定し、該分紙ローラー３０の一端は該位置限定部４２５内に挿入する。該取紙ローラー２０は該従動軸４４上に固定し、しかも該取紙ローラー２０の一端は該嵌接部上に嵌設する。該ベルト２１は該取紙ローラー２０と該分紙ローラー３０上に緊密に嵌設し、該ベルト２１の張力により該取紙ローラー２０と該分紙ローラー３０は相対し該ローラーフレーム４０を圧迫する。こうして該分紙ローラー３０が回転すると、該分紙ローラー３０と該位置限定部４２５の間、及び該取紙ローラー２０と該嵌接部の間には該ローラーフレーム４０を該主動軸４３の周りで回転させる摩擦力が生じる。
【００１１】
図１、４に示すように、該紙ガード装置６０は紙ガード部品６１と接触ブロック６２を含む。
該紙ガード部品６１は連接部６１１を具え、該連接部６１１の相対する両側面のおよそ中央部分はそれぞれ外側に向けて定位軸６１２を突出する。該連接部６１１の前端は上方へと延伸し位置限定アーム６１３を形成し、該位置限定アーム６１３は該サポートフレーム１０の位置限定ブロック１１３上に接触し、該連接部６１１の後端は紙ガードアーム６１４を下方へと延伸形成する。
該紙ガードアーム６１４の右端は一部分を切除し方形の欠口６１５を形成し、該紙ガードアーム６１４の左下端は一部分を切除後、下端に扁平状の遮断部６１６を形成する。
該接触ブロック６２は円柱状で、該接触ブロック６２は該ローラーフレーム４０の第一側壁４１上に固定する（図３参照）。
【００１２】
図１、６に示すように、該底台５０は前端にキャリア台５１を形成し、外部の紙２を載せる。該キャリア台５１は後方へと延伸し、該サポートフレーム１０と対応し、紙伝送通路５２を形成する。該底台５０は該紙ガード装置６０の紙ガードアーム６１４に対応し、紙伝送方向に沿って該紙ガードアーム６１４下端を収容する縦長の凹槽５３を開設する。
図１、５に示すように、該紙センサー７０は回路板上に設置し、該回路板と電気的に連接する。該紙センサー７０と該回路板は該底台５０上に一緒に固設され、該凹槽５３の前端に位置する。該紙センサーはおよそU型を呈し、発射アーム７１及び該発射アーム７１と平行な受信アーム７２を含む。該発射アーム７１と該受信アーム７２は連接アーム７３により連接され、該発射アーム７１は該受信アーム７２に向かい光信号を発射し、該受信アーム７２は該発射アーム７１が発射する光信号を受け取ることができる。本実施例中では、該紙センサー７０は光センサーであるが、当然電磁感知を利用するセンサーなどの他の方式のセンサーを用い本考案の目的を達成することもできる。
【００１３】
次に図３に示すように、本考案取紙機構１の組み立てでは、先ず該ベルト２１を該取紙ローラー２０と該分紙ローラー３０上に同時に嵌設する。さらに該分紙ローラー３０上に固定する主動軸４３の一端を該ローラーフレーム４０の第一側壁４１の主動軸孔内に挿入設置し、該分紙ローラー３０右端を該第二側壁４２の位置限定部４２５内に挿入し、該取紙ローラー２０上に固定する従動軸４４の一端を該ローラーフレーム４０の第一側壁４１の従動軸孔内に挿入設置し、該取紙ローラー２０の右端を該第二側壁４２の嵌接部上に嵌設する。
続いて図１、２に示すように、該ローラーフレーム４０を該サポートフレーム１０の収容空間１４内に設置し、該主動軸４３左端と該対応接続筒４２６を該サポートフレーム１０の２個の可動接続部１３上に嵌接する。図６に合わせて示すように、該紙ガード装置６０は該ローラーフレーム４０に近接する第一側壁４１位置に設置し、しかも該紙ガード装置６０の２個の定位軸６１２はそれぞれ該サポートフレーム１０の２個の固持孔１１１中に可動接続する。こうして該紙ガード部品６１は該定位軸６１２の中心軸周囲を取り囲み回転することができる。該接触ブロック６２は該紙ガード部品６１の紙ガードアーム６１４の上端に接触固定し、最後に該サポートフレーム１０は該底台５０上を蓋合し、該紙ガード部品６１の紙ガードアーム６１４の下端は該底台５０の凹槽５３に伸入し、こうして本考案取紙機構１の組み立てを完成する。
【００１４】
図６に示すように、未取紙時には、該取紙ローラー２０は紙と一定の距離を隔て該紙２の上方に位置する。該紙ガード部品６１は自然な垂直状態を呈し、しかも該遮断部６１６は該紙センサー７０の発射アーム７１と受信アーム７２間に位置する。こうして該発射アーム７１が発射する光信号は該遮断部６１６に遮断され、該受信アーム７２により受信されることはない。
図７〜９に示すように、取紙時には、外力により該主動軸４３を時計回りに駆動し、これにより該ローラーフレーム４０は該主動軸４３の周りを下方へと回転する。もしキャリア台５１に紙２があるなら、該取紙ローラー２０は紙を圧迫しくっつける。同時に該ローラーフレーム４０の下方への回転により、該第一側壁４１上に設置する接触ブロック６２もまたこれに従い、該欠口６１５位置まで下方へと移動する。この時、該ベルト２１は紙２を圧迫しくっつけ時計回りに回転し、該ベルト２１と紙２の間の摩擦力により、紙２は該紙伝送通路５２に向けて押され、紙２は該紙ガードアーム６１４を該定位軸６１２の周りで時計回りに回転させる。該紙ガードアーム６１４は紙の接触により傾斜し偏り、該紙センサー７０の発射アーム７１と受信アーム７２を離れ、こうして該発射アーム７１が発射する光信号は該受信アーム７２により受信され、該取紙機構１に届く信号は「有紙信号」となり、該取紙ローラー２０は取紙動作を継続する。該紙ガードアーム６１４の回転過程において、該接触ブロック６２は該紙ガード部品６１左側から該欠口６１５へと通過し、該紙ガードアーム６１４の前方に位置する。
【００１５】
取紙時に、もし該キャリア台５１上に紙が無い、或いは紙を使い終わった場合には、紙２の接触がないため、重力の作用により該紙ガード部品６１は時計と反対周りに下方へと回転する。該紙ガードアーム６１４が自然な垂直状態を回復すると、該遮断部６１６は該紙センサー７０の発射アーム７１と受信アーム７１の間に伸入し、該発射アーム７１が発射する光信号は該遮断部６１６により遮断され、該受信アーム７２に受信されることはない。こうして該取紙機構１に伝達される信号は「紙無し信号」となり、この時、該取紙機構１は取紙動作を停止する。外力が該主動軸４３を駆動し逆時計回りに回転させると、該ローラーフレーム４０は該主動軸４３の周りを逆時計回りに上方へと回転する。該接触ブロック６２は該紙ガードアーム６１４の右側から該欠口６１５を通過し、しかも該ローラーフレーム４０において上方へと一定の位置まで回転する時、該接触ブロック６２は該紙ガードアーム６１４の上端において接触ガードする。該位置限定アーム６１３は該サポートフレーム１０の位置限定ブロック１１３を接触固定する（図６参照）。
【図面の簡単な説明】
【００１６】
【図１】本考案取紙機構の立体分解図である。
【図２】図１のIIで示す部分の局部拡大図である。
【図３】本考案取紙機構のローラーとベルトをローラーフレーム上に設置する立体図である。
【図４】本考案取紙機構の紙ガード部品の立体図である。
【図５】本考案取紙機構の紙センサーの立体図である。
【図６】本考案取紙機構の紙が無くなった時の概略図である。
【図７】本考案取紙機構の紙がある時の取紙作動の過程概略図である。
【図８】本考案取紙機構の紙がある時の取紙作動の過程概略図である。
【図９】本考案取紙機構の紙がある時の取紙作動の過程概略図である。
【符号の説明】
【００１７】
１  取紙機構
１０  サポートフレーム
１１  固持部
１１１  固持孔
１１２  固持板
１１３  位置限定ブロック
１３  可動接続部
１４  収容空間
１５  長方形板
２０  取紙ローラー
２１  ベルト
３０  分紙ローラー
４０  ローラーフレーム
４１  第一側壁
４２  第二側壁
４２５  位置限定部
４２６  対応接続筒
４３  主動軸
４４  従動軸
５０  底台
５１  キャリア台
５２  紙伝送通路
５３  凹槽
６０  紙ガード装置
６１  紙ガード部品
６１１  連接部
６１２  定位軸
６１３  位置限定アーム
６１４  紙ガードアーム
６１５  欠口
６１６  遮断部
６２  接触ブロック
７０  紙センサー
７１  発射アーム
７２  受信アーム
７３  連接アーム
２  紙
【図１】
0003132341.tif 000003
【図２】
0003132341.tif 000004
【図３】
0003132341.tif 000005
【図４】
0003132341.tif 000006
【図５】
0003132341.tif 000007
【図６】
0003132341.tif 000008
【図７】
0003132341.tif 000009
【図８】
0003132341.tif 000010
【図９】
0003132341.tif 000011